(57)【要約】【課題】  カードの製造依頼を受けてから短時間で効率的にカードを製造し、カードの発行を行なえるカード発行システム及びその方法を提供する。【解決手段】  カード製造の依頼者側の通信端末と、カード製造者側のカード製造装置とからなり、前記通信端末と前記カード製造装置とが通信回線を介して接続され、前記通信端末が文字データ及び顔写真データと、カード発行の依頼情報とをカード製造装置に送信する手段を有し、前記カード製造装置が、通信端末から受信した文字データ及び顔写真データに基いて構築された文字データベース及び顔写真データベースと、カード発行の依頼情報を受信した際に、文字データベース及び顔写真データベースからカード発行に必要な文字データ及び顔写真データを選択して抽出する抽出手段と、この抽出されたデータに基いて、発行するカードに対して文字データ及び顔写真データの表示出力を行なう出力手段とを有する。【選択図】        図１
2005144720.tif 000002
【特許請求の範囲】
【請求項１】
カード製造の依頼者側に設けられた通信端末と、カード製造を行なう製造者側に備えられたカード製造装置とからなり、前記通信端末と前記カード製造装置とが通信回線を介して接続されているカード発行システムであって、
前記通信端末が、
カードの製造に必要な各個人を特定する文字データ及び顔写真データと、カード発行の依頼情報とを、前記カード製造装置に送信する手段を有し、
前記カード製造装置が、
前記通信端末から受信した文字データ及び顔写真データに基いて構築された文字データベース及び顔写真データベースと、前記通信端末からカード発行の依頼情報を受信した際に、前記文字データベース及び顔写真データベースからカード発行に必要な文字データ及び顔写真データを選択して抽出する抽出手段と、前記抽出手段により抽出された文字データ及び顔写真データに基いて、発行するカードに対して文字データ及び顔写真データの表示出力を行なう出力手段とを有する、
ことを特徴とするカード発行システム。
【請求項２】
カード製造の依頼者側に設けられた通信端末と、カード製造を行なう製造者側に備えられたカード製造装置とが通信回線を介して接続されているカード発行システムのカード発行方法であって、
前記通信端末から前記カード製造装置に対して、カードの製造に必要な各個人を特定する文字データ及び顔写真データを送信するステップと、
前記通信端末から受信した文字データ及び顔写真データに基いて、文字データベース及び顔写真データベースを構築するステップと、
前記通信端末から前記カード製造装置に対して、カード発行の依頼情報が送信された際に、前記文字データベース及び顔写真データベースからカード発行に必要な文字データ及び顔写真データを選択して抽出するステップと、
前記抽出された文字データ及び顔写真データを用いて、発行するカードに対して該文字データ及び該顔写真データの表示出力を行なうステップと、
を有することを特徴とするカード発行方法。
【発明の詳細な説明】
【技術分野】
【０００１】
本発明は、顔写真入りのカードの製造を行なう製造者側が、カード製造の依頼を受けた際に、短期間で効率的にカードの製造を行なうことができるカード発行システム及びその方法に関する。
【背景技術】
【０００２】
従来、例えば、社員証等のような顔写真入りのカードの発行を行なう場合には、デジタルカメラにより顔を撮影してデジタルデータとして記憶させたり、顔写真がある場合には、台紙に顔写真を貼付してイメージスキャナでイメージ入力するなどして顔写真データを作成するなどして、これらの顔写真の画像をカードに表示したり、また、個人を特定する文字データなどをカード表面に表示出力させたり、記憶手段に記憶させるなどして、カード作製装置によりカードの作製を行なっている。（例えば、特許文献１参照）
【特許文献１】特開２００２−３２５０１号公報
【０００３】
また、これらのカード製造に必要な顔写真や文字データなどを、依頼者からカードの製造者に対して送付するために、カードの製造依頼を受けてからカードの発行を行なうまでに長期間かかることもあり、カードの製造の処理効率が悪いという問題がある。
【発明の開示】
【発明が解決しようとする課題】
【０００４】
本発明は、カードの製造者が、カードの製造依頼を受けてから短時間で効率的にカードを製造し、カードの発行を行なえるようにすることができるカード発行システム及びその方法を提供する。
【課題を解決するための手段】
【０００５】
本発明のカード発行システムは、カード製造の依頼者側に設けられた通信端末と、カード製造を行なう製造者側に備えられたカード製造装置とからなり、前記通信端末と前記カード製造装置とが通信回線を介して接続されているカード発行システムであって、前記通信端末が、カードの製造に必要な各個人を特定する文字データ及び顔写真データと、カード発行の依頼情報とを、前記カード製造装置に送信する手段を有し、前記カード製造装置が、前記通信端末から受信した文字データ及び顔写真データに基いて構築された文字データベース及び顔写真データベースと、前記通信端末からカード発行の依頼情報を受信した際に、前記文字データベース及び顔写真データベースからカード発行に必要な文字データ及び顔写真データを選択して抽出する抽出手段と、前記抽出手段により抽出された文字データ及び顔写真データに基いて、発行するカードに対して文字データ及び顔写真データの表示出力を行なう出力手段とを有する、ことを特徴とする。
【０００６】
本発明のカード発行方法は、カード製造の依頼者側に設けられた通信端末と、カード製造を行なう製造者側に備えられたカード製造装置とが通信回線を介して接続されているカード発行システムのカード発行方法であって、前記通信端末から前記カード製造装置に対して、カードの製造に必要な各個人を特定する文字データ及び顔写真データを送信するステップと、前記通信端末から受信した文字データ及び顔写真データに基いて、文字データベース及び顔写真データベースを構築するステップと、前記通信端末から前記カード製造装置に対して、カード発行の依頼情報が送信された際に、前記文字データベース及び顔写真データベースからカード発行に必要な文字データ及び顔写真データを選択して抽出するステップと、前記抽出された文字データ及び顔写真データを用いて、発行するカードに対して該文字データ及び該顔写真データの表示出力を行なうステップと、を有することを特徴とする。
【発明の効果】
【０００７】
本発明のカード発行システム及びカード発行方法は、通信回線を介してカード製造の依頼者側に設けられた通信端末と、カード製造を行なう製造者側に備えられたカード製造装置とが通信可能に接続され、またカードの製造依頼を受ける前に、カードの製造に必要な文字データ及び顔写真データを、通信端末から受信したデータに基いて文字データベース及び顔写真データベースとして構築させておくので、カードの製造者が、カードの作製依頼を受けてから短時間でカードを製造することができるという効果がある。
【発明を実施するための最良の形態】
【０００８】
以下、本発明の実施形態に係るカード発行システムのシステムブロック図、図２は、本発明の実施形態に係るカード発行システムの処理の概要を説明する図、図３は、本発明の実施形態に係るカード発行システムの処理手順を説明するフローチャートである。
【０００９】
図１に示すように、カード製造を依頼する依頼者側に設けられた通信端末１と、カード製造を行なう製造者側に備えられたカード製造装置２とは、通信回線３を介して通信可能に接続されている。
通信端末１には、表示手段４、入力手段５、記憶手段６、通信手段７、制御手段８などが備えられている。
そして、カードの製造に必要な各個人を特定する文字データ及び顔写真データを、通信回線３を介して通信端末１からカード製造装置２に送信することができるようにしてある。
【００１０】
これらの文字データ及び顔写真データは、カードの製造依頼を行なう前の段階において、将来的にカードの製造依頼を行なう可能性のある文字データや顔写真データを、予め通信回線３を介してカード製造装置２に送信させておくことが好ましく、また、既にカード製造装置２に送信させたデータに変更が生じた場合や、所定の年月を経てた場合には、既にカード製造装置２側に登録させている顔写真データを、新たな顔写真データに更新させるなどのデータのメンテナンス処理を、通信回線３により通信端末１からカード製造装置２にデータ送信することで行なえるようにしてある。
【００１１】
更に、カード製造の依頼者側からカード製造者側に対するカード製造の依頼情報も、必要に応じて通信回線３を介して通信端末１からカード製造装置２に対して、カード製造依頼情報を送信することで行なえるようにしてある。
【００１２】
また、カード製造装置２には、表示手段９、抽出手段１０、出力手段１１、カード発行手段１２、記憶手段１３、入力手段１４、通信手段１５、カード発行用文字データベース１６、顔写真データベース１７、カード発行データベース１８、カードデザインデータベース１９、クレジット発行情報データベース２０、制御手段２１などが設けられている。
【００１３】
カード発行用文字データベース１６は、予めカード製造を依頼する依頼者側に設けられた通信端末１から、カードの発行に必要な個人情報などが送信されて、これらの個人情報を蓄積させてデータベース化されたものである。
また、顔写真データベース１７は、予めカード製造を依頼する依頼者側に設けられた通信端末１から、カードの発行に必要な顔写真データが送信されて、これらの顔写真データを蓄積させてデータベース化されたものである。
そして、カード発行用文字データベース１６に登録されている個人情報と、顔写真データベース１７に登録されている顔写真データとは、それぞれのデータに付されたＩＤ番号などの固有番号により関係付けられ、カードを製造する際にこの固有番号に基いて、データをマッチングさせて処理できるようにデータ管理されている。
【００１４】
また、カード発行データベース１８には、発行されたカードに関する情報が登録され、誰に、何時、どのようなカードが発行されたのか等が調べられるようにしてある。
また、カードデザインデータベース１９には、発行するカードに用いることができる種々のデザインデータが登録されている。
更に、クレジット発行データベース２０には、カードをクレジットカードとして発行する場合に、発行したクレジット発行情報を登録しておく。
【００１５】
また、カード製造装置２は、通信回線３を介してクレジット会社２１や認証局２２のサーバと通信可能に接続されていて、クレジットカードを作製する場合でも、必要なデータを通信で受信できるようにしてある。
【００１６】
次に、本発明の実施形態に係るカード発行システムのカード発行方法について説明する。
図２及び図３に示すように、まず、カード製造の依頼者側に設けられた通信端末１から、カード製造を行なう製造者側に備えられたカード製造装置２に対して、カードの製造に必要な各個人を特定する文字データ及び顔写真データが送信される。（ステップＳ１）
【００１７】
そして、これらの文字データ及び顔写真データを受信したカード製造装置では、通信端末１から受信した文字データ及び顔写真データに基いて、カード発行用文字データベース１６及び顔写真データベース１７としてデータベースが構築される。（ステップＳ２）
【００１８】
これらのデータベースが構築された後において、通信端末１からカード製造装置に対して、カード発行の依頼情報が送信された際に、依頼されたカードの製造に必要な文字データ及び顔写真データが抽出手段１０により選択して抽出される。（ステップＳ３）
また、製造するカードがクレジットカードを兼ねている場合には、クレジット会社の通信端末から通信回線を介して受信したクレジット発行情報を、クレジット発行情報データベース２０にデータ蓄積させる。（ステップＳ４）
【００１９】
そして、カードの製造前にカード製造依頼者の構成が必要な場合には、通信回線３を介して、校正用データがカード製造装置から通信端末１に対して送信される。（ステップＳ５）
これらの校正用データは、カード製造依頼者側で校正が行なわれた後に、校正済みデータとして、通信端末１からカード製造装置に対して送信される。（ステップＳ６）
【００２０】
また、クレジットカードとして電子認証用データを用いる場合には、クレジットカードの発行データを認証局２２に送信して、認証局２２から電子認証用データの受信を受ける。（ステップＳ７）
以上の処理により、カードの製造に必要なデータを、通信回線３を介して受信した後、カードの製造を行ない、カードの発行処理が行なわれる。（ステップＳ８）
【図面の簡単な説明】
【００２１】
【図１】本発明の実施形態に係るカード発行システムのシステムブロック図である。
【図２】本発明の実施形態に係るカード発行システムの処理の概要を説明する図である。
【図３】本発明の実施形態に係るカード発行システムの処理手順を説明するフローチャートである。
【符号の説明】
【００２２】
１  通信端末
２  カード製造装置
３  通信回線
４  表示手段
５  入力手段
６  記憶手段
７  通信手段
８  制御手段
９  表示手段
１０  抽出手段
１１  出力手段
１２  カード発行手段
１３  記憶手段
１４  入力手段
１５  通信手段
１６  カード発行用文字データベース
１７  顔写真データベース
１８  カード発行データベース
１９  カードデザインデータベース
２０  クレジット発行情報データベース
２１  制御手段
【図１】
2005144720.tif 000003
【図２】
2005144720.tif 000004
【図３】
2005144720.tif 000005